(57)【要約】【課題】支持安定性に優れ、しかもティーアップの高さ位置が容易に変更できるゴルフティーを提供する。【解決手段】本発明のゴルフティーＡは、下端部を地表面Ｇに載置して使用する高さ調節可能な角錐台リング状であって、上端と下端に複数の頂部１１を有するジグザグ状の支持基板部１を備えているため、ボールＢを支持するための支持安定性に優れ、しかも単に裏返して使用することで高さ位置を容易に変更することができる。角錐台のリング状なので載置した場合に、重心が安定し、下端の頂部１１が草を回避するように食い込むため、より姿勢が安定する。空間３が多く形成されるので、地表面に載置した場合、風の影響を極力避けることができる。そして、角錐台状なのでより風の影響が避けられ、また空間３が多く角錐台状なので共飛びも回避される。【選択図】図１
2015123152.tif 000002
【特許請求の範囲】
【請求項１】
下端を地表面に載置して使用する高さ調節可能な角錐台リング状のゴルフティーであって、
上端と下端に複数の頂部を有するジグザグ状の支持基板部を備えたことを特徴とするゴルフティー。
【請求項２】
前記支持基板部の頂部の内側に補強用の薄肉部を設けたことを特徴とする請求項１記載のゴルフティー。
【請求項３】
薄肉部の端部が山形に形成されていることを特徴とする請求項２記載のゴルフティー。
【請求項４】
内壁面では支持基板部と薄肉部が面一に形成されており、また外壁面では支持基板部と薄肉部の間に段差が形成されていることを特徴とする請求項１記載のゴルフティー。
【請求項５】
上端及び下端の各頂部の数が６個であることを特徴とする請求項１記載のゴルフティー。
【請求項６】
屈曲復元容易な合成樹脂でなることを特徴とする請求項１記載のゴルフティー。
【請求項７】
上端の頂部を下方に下端の頂部を上方にして使用することが可能な請求項１記載のゴルフティー。
【請求項８】
相互の頂部を交互に噛み合わせ複数個積み上げて使用可能な請求項１記載のゴルフティー。
【発明の詳細な説明】
【技術分野】
【０００１】
本発明は、地表面に載置して用いる高さ調整可能なゴルフティーに関する。
【背景技術】
【０００２】
ゴルフのティーグランドにおいては、ゴルフボールを浮かせた状態でショットするため、ティーアップのためのゴルフティーが使用されている。
ゴルフティーの多くはゴルフボールを上部に載せた状態で下部を地面に突き刺し固定し用いられるものである。
このため、ティーグランドの地表面を損傷させたりするだけではなく、寒い時期に地面が凍ると、ゴルフティーが突き刺せない等の問題が生じる。
一方、ゴルフティーの下部が地中に突き刺さる深さによって、高さが変わることから、ティーアップ時のボールの高さも不安定となる。
【０００３】
また、ティーショット時に、ゴルフティーも同時に打ってしまい、その結果、ゴルフボールＢと共にゴルフティーも前方の離れた位置にまで飛んで行ってしまう（以下「共飛び」という。）ことが多い。
この場合、ゴルフティーを紛失してしまったり、ゴルフティーが破損したりする虞がある。
【０００４】
一方、上述したような地面に突き刺すタイプのゴルフティーに代えて、地表面に単に載置するタイプのゴルフティーが幾つか提供されている（例えば下記特許文献１〜５参照）。
これらのゴルフティーは、筒状又は角錐台状をしており地表面に載置して用いるタイプのゴルフティーであるため、地表面を損傷させたり、地面が固くてゴルフティーを突き刺せないという問題が解消される。
【先行技術文献】
【特許文献】
【０００５】
【特許文献１】特開昭６２−１３９６７８号公報
【特許文献２】実開平０５−０９１７３６号公報
【特許文献３】特開２００１−２５９１００号公報
【特許文献４】実開平０６−６６７３３号公報
【特許文献５】特開２００５−１３７６２１号公報
【発明の概要】
【発明が解決しようとする課題】
【０００６】
しかし、上記特許文献１、特許文献２に記載のゴルフティーは、筒状であるため、これを地表面に載置するのみではゴルフボールを支持するための支持安定性が必ずしも十分ではない。
特にティーグランドは、通常、芝が生えているため、芝が障害となって上記ゴルフティーが転倒する虞がある。
また上記特許文献１〜特許文献５に記載のゴルフティーは、地表面が平面でない場合のみならず、風等が吹いた場合であっても転倒し易い。
一方、これらはゴルフボールの位置を変えようとしても高さの調整ができない難点がある。
【０００７】
これに対して上記特許文献３記載のゴルフティーは、円筒状の中空リングに設けられた複数のミシン目を選択してカットすることで高さの調整が可能である。
しかし、一度カットしたらその高さは短くなって元には戻らない難点がある。
一方、上記特許文献４記載のゴルフティーは、複数の筒状ティーを上下方向に積み重ねたもので、ティーアップの高さを調整するものである。
しかし、複数個のゴルフティーが必要で、その積み重ねが正確でなければならず使用操作としても面倒である。
【０００８】
また上記特許文献５記載のゴルフティーは、筒状体の台座部を上下或いは左右方向に６つ備えるもので、１つのゴルフティーを使って置き方を変えることによりティーアップの高さ位置が変更できる利点がある。
しかし、台座が上下方向や左右方向に大きく延び出しているため、地表面に置いた場合に、姿勢が不安定となり、且つ風の影響を受け易い。
以上説明したいずれのゴルフティーも、ゴルフボールを支持する支持安定性という観点からは十分ではなく、草等が生えている場所では特に安定性がない。
【０００９】
本発明は上記事情に鑑みてなされたものであり、支持安定性に優れ、しかもティーアップの高さ位置が容易に変更できるゴルフティーを提供することを目的とする。
【課題を解決するための手段】
【００１０】
本発明者らは、上記課題を解決するため鋭意検討したところ、ボールを支える部分として横方向にジグザグ状の支持部を設けることにより十分な支持力が得られ、しかも裏と表が利用できるようになることを見出し、この知見により本発明を完成するに至った。
【００１１】
即ち、本発明は、（１）、下端を地表面に載置して使用する高さ調節可能な角錐台リング状のゴルフティーＡであって、上端と下端に複数の頂部を有するジグザグ状の支持基板部１を備えたゴルフティーＡに存する。
【００１２】
本発明は、（２）、前記支持基板部１の頂部の内側に補強用の薄肉部２を設けた上記（１）記載のゴルフティーＡに存する。
【００１３】
本発明は、（３）、薄肉部２の端部が山形に形成されている上記（２）記載のゴルフティーＡに存する。
【００１４】
本発明は、（４）、内壁面では支持基板部１と薄肉部２が面一に形成されており、また外壁面では支持基板部１と肉薄部２の間に段差が形成されている上記（１）記載のゴルフティーＡに存する。
【００１５】
本発明は、（５）、上端と下端の各頂部の数が６個であることを特徴とする請求項１記載のゴルフティーＡに存する。
【００１６】
本発明は、（６）、屈曲復元容易な合成樹脂でなる上記（１）記載のゴルフティーに存する。
【００１７】
本発明は、（７）、上端の頂部を下方に下端の頂部を上方にして使用することが可能な上記（１）記載のゴルフティーＡに存する。
【００１８】
本発明は、（８）、相互の頂部を交互に噛み合わせ複数個積み上げて使用可能な上記（１）記載のゴルフティーＡに存する。
【００１９】
本発明はこの目的に沿ったものであれば上記（１）から（８）を適宜組み合わせる構成も採用可能である。
【発明の効果】
【００２０】
１）本発明のゴルフティーＡは、下端部を地表面Ｇに載置して使用する高さ調節可能な角錐台リング状であって、上端と下端に複数の頂部１１を有するジグザグ状の支持基板部１を備えているため、ボールＢを支持するための支持安定性に優れ、しかも単に逆さにして使用することで高さ位置を容易に変更することができる。
角錐台のリング状なので載置した場合に、重心が安定し、下端の頂部１１が草を回避するように食い込むため、より姿勢が安定する。
空間３が多く形成されるので、地表面に載置した場合、風の影響を極力避けることができる。
また、角錐台状なのでより風の影響が避けられる。
また、このように空間３が多く角錐台状なので共飛びも回避される。
また、上記ゴルフティーＡは、例えば、折り畳んでポケット等に収容させることができ、その場合は、頂部１１が引っ掛かって外に離脱しない。
また、中で元の状態に復元しようとするので、尚更、ポケットから落ちることが防止される。
【００２１】
２）前記支持基板部１の頂部１１の内側に補強用の薄肉部２を設けたことにより、頂部１１が開くのが確実に防止され、結果的に支持基板部１の元の形が維持され歪みが生じない。
【００２２】
３）薄肉部２の端部が山形２１に形成されていることにより、隣接する頂部間に十分な空間３が形成され、風を逃がすことができて転倒が防止される。
【００２３】
４）内壁面では支持基板部１と薄肉部２が面一に形成されており、また外壁面では支持基板部１と薄肉部２の間に段差が形成されていることにより、指で摘んだ場合に滑りにくい。
【００２４】
５）屈曲復元容易な合成樹脂でなることにより、元の形に戻ろうとするため、例えば、折り畳んでポケット等に収容させることができ、また、中で元の形に戻ろうとするのでポケットから落ちることも防止される。
【００２５】
６）上端の頂部１１を下方に下端の頂部１１を上方にして使用することや、相互の頂部１１を交互に噛み合わせ複数個積み上げて使用することで、ティーアップの高さを大きな範囲で適宜調整することができる。
【図面の簡単な説明】
【００２６】
【図１】図１は、本発明のゴルフティーの実施形態を示した図であり、（Ａ）は正面図であり、（Ｂ）は平面図であり、（Ｃ）は側面図であり、（Ｄ）は底面図である。
【図２】図２は、断面図であり、（Ａ）は正面図のＸ−Ｘ断面図であり、（Ｂ）は正面図のＹ−Ｙ断面図である。
【図３】図３は、ボールを載せた状態の図であり、（Ａ）は使用例１の場合、また（Ｂ）は使用例２の場合を示す。
【図４】図４は、ゴルフティーが草を回避して置かれた状態を説明する図であり、（Ａ）は使用例１の場合、（Ｂ）は使用例２の場合を示す。
【図５】図５は、ボールを載せた状態の図であり、（Ａ）は使用例３の場合、また（Ｂ）は使用例４の場合を示す。
【図６】図６は、ゴルフティーの組み合わせの例を示す図であり、（Ａ）は３個のゴルフティーの組み合わせを示し、（Ｂ）は４個のゴルフティーの組み合わせを示す。
【図７】図７は、ゴルフティーを折り畳んだ状態を示す図であり、（Ａ）は二つ折り、（Ｂ）は４つ折りを示す。
【発明を実施するための形態】
【００２７】
以下、図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２８】
図１は、本発明のゴルフティーＡの実施形態を示した図であり、（Ａ）は正面図であり、（Ｂ）は平面図であり、（Ｃ）は側面図であり、（Ｄ）は底面図である。
また、図２は断面図であり、（Ａ）は正面図のＸ−Ｘ断面図であり、（Ｂ）は正面図のＹ−Ｙ断面図である。
【００２９】
本実施形態に係るゴルフティーＡは、後述する図３、５に示すように、下端部を地表面（すなわちグランド）Ｇに載置して使用するもので、上端部に載せたゴルフボールＢの高さ位置を調節することができる。
また、裏返して地表面Ｇに載置して使用することで、ティーアップの高さの度合いを変えることができるものである。
図に示すように、このゴルフティーＡは、全体的な形状としては、角錐台リング状であって、下方になるほど広がっており、ジグザグ状の支持基板部１を備える。
支持基板部１は、横方向にジグザグ状に、いわゆる波状に形成されていて、この形状によって形成される上端の複数の頂部１１がボールＢを的確に支持する。
しかも支持基板部１の下の頂部１１は草を回避して、しかも食い込むため地表面Ｇに載置かれるためボールＢの支持安定性を得ることをできる。
【００３０】
この実施の形態の場合、上端の各頂部１１は６箇所であり、且つ下端の各頂部１１も６箇所であり、平面視で６角錐台状を呈する。
基本的には、このジグザグ状の支持基板部１だけで支持安定性を得るが、更に、ボール荷重を受けた等の場合にこの頂部１１の開きを防ぐため、この頂部１１の内側に（詳しくは頂角部に）補強用（すなわち開き防止用）の薄肉部２を設けている。
この薄肉部２は頂角に、いわば筋交いのように作用して、その開きを阻止する。
なお、具体的な肉厚は、例えば、薄肉部２が０．３ｍｍ、支持基板部１が０．８ｍｍが採用される。
【００３１】
また、このゴルフティーＡにおいては、内壁面は支持基板部１と薄肉部２とが面一に形成されており、また外壁面では支持基板部１と薄肉部２の間に段差が形成されている。
そのため、指で摘んだ場合に、滑って落ちるようなことが回避される。
この薄肉部２はボールＢを載せた場合、詳しくはボールＢを頂部１１に載せた場合に、頂部１１の内角が開くのを防止するので支持基板部１の形が維持され歪まない。
また、ボールＢをゴルフティーＡにセットする際に、一旦、全体を押し込む操作を行う場合があるが、その際も頂角が開くようなことはない。
【００３２】
ゴルフティーＡの各薄肉部２の端は山形２１になっており、すなわち上端の頂部１１の薄肉部２は下方に山形状の風通し空間３を有する。
また下端の頂部１１の薄肉部２は、下方に逆の山形状の風通し空間３を有する。
このように風通しができる空間３を有するため、後述するように、風を逃がすことができて倒れにくい。
この実施の形態のゴルフティーＡは、図から分かるように、平面視で６角形となっている。
支持基板部１の頂部１１は上端に６個、また下端にも６個ある。
そのため、下端の６個の頂部１１で地面を支え、上端の６個の頂部１１でボールＢを支持することになる。
下端の各頂部１１の間は一定距離に離れており、空間３を有するので、芝等の草を逃がし、またピンポイントで地面を効率よくグリップ支持する。
【００３３】
図４は、ゴルフティーＡが草を回避して置かれた状態を説明する図であり、（Ａ）は使用例１の場合、（Ｂ）は使用例２の場合を示す。
一方、ゴルフティーＡは、後述するように屈曲復元性を有することにより、図７の（Ａ）、（Ｂ）に示すように、折り畳んだ状態で収納したおくことができる。
そのため折り畳んでポケット等に入れておくことができ、また入れた後は、各頂部１１が引っ掛かって、不用意にポケットから落ちることも防止される。
【００３４】
ところでボールＢを載せた時、その荷重が下方に加わるが、ジグザグ状の支持基板部１は６角錐台状であり、側壁（支持基板部１と薄肉部２よりなる）が上に行くほど内側に傾斜しているので、上下方向に潰れにくくボールＢの支持状態が安定する。
なお、支持安定性の観点からこの側壁の傾斜（垂直に対する角度）は２５度〜３５度が好ましい。
また、ショット時に、強い衝撃を受けても、多角錐台状のため、且つ空間３が多いため衝撃が緩和されて離れた位置まで共飛びすることが防止される。
【００３５】
ここで本発明のゴルフティーＡの素材としては、合成樹脂材、例えば、ポリエステル、ポリエチレン（高結晶ポリエチレン）等が採用されるが、屈曲性があればいかなる素材も採用可能である。
また、屈曲復元性があればより好ましい。
【００３６】
次に、ここで本発明のゴルフティーＡの幾つかの使用態様を図３，図５に基づいて説明する。
図３は、ボールＢを載せた状態の図であり、（Ａ）は使用例１の場合、また（Ｂ）は使用例２の場合を示す。
また、図５は、ボールＢを載せた状態の図であり、（Ａ）は使用例３の場合、また（Ｂ）は使用例４の場合を示す。
【００３７】
（使用例１）
この使用態様においては、本発明のゴルフティーＡは、図３（Ａ）に示すように、径の大きい方を下側に、径の小さい方を上側にして使用する。
上端の頂部１１の薄肉部２は下方に山形状の風通し空間３を有し、また下端の頂部１1の薄肉部２は上方に逆の山形状の風通し空間３を有するので、この空間３から風を逃がすことができ、転倒が防止される。
ボールＢは上端の６つの各頂部１１で支えられるが、点接触に近い状態で支持される。
また、下端の頂部１1が草に邪魔されず、寧ろ草を逃がすようにして地表面Ｇをグリップ支持する。
しかも角錐台状であるので、支持安定性は確実なものとなる。
【００３８】
（使用例２）
この使用態様においては、図３（Ｂ）に示すように、径の小さい方を下側に、径の大きい方を上側にして使用する。
すなわちこの使用例２は、使用例１の場合のゴルフティーＡを逆さにして使用するものである。
この状態においては、上端の頂部１１の薄肉部２は下方に山形状の風通し空間３を有し、また下端の頂部１1の薄肉部２は上方に山形状の風通し空間３を有するので、この空間３から風を逃がすことができ、転倒するようなことはない。
ボールＢは上端の６つの各頂部１１で支えられるが、使用例１の場合に比べてボールＢを受け入れるようにやや面接触に近い状態で支持する。
この場合も、下端の頂部１１が草に邪魔されず、寧ろ草を逃がすようにして地面に置かれ、しかも角錐台状であるので、支持安定性は確実なものとなる。
ボールＢの高さは前述の使用例１の高さＨの場合よりも低いものとなる。
【００３９】
（使用例３）
この使用態様においては、ゴルフティーＡを２個組み合わせて使用する。
図５（Ａ）に示すように、下側にあるゴルフティーＡ１は、径の大きい方を下側に、径の小さい方を上側にして使用し、上側にあるゴルフティーＡ２は、径の小さい方を下側に径の大きい方を上側にして使用する。
ゴルフティーＡ１とゴルフティーＡ２のお互いの頂部１１が交互に噛み合うため、両者はあたかも一体化したゴルフティーのようになる。
この合体したゴルフティーを逆さにして使用しても同形となり高さは変わらない。
この使用態様で高さは高くなっても、空間３は十分有するので、風の影響を受けにくい。
この使用例においては、ボールＢの高さは前述の使用例１，２の場合よりも高いものとなる。
【００４０】
（使用例４）
この使用態様においてもゴルフティーＡを２個組み合わせて使用する。
図５（Ｂ）に示すように、下側にあるゴルフティーＡ１は、径の小さい方を下側に、径の大きい方を上側にして使用し、上側にあるゴルフティーＡ２は、径の大きい方を下側に径の小さい方を上側にして使用する。
これもゴルフティーＡ１とゴルフティーＡ２のお互いの頂部１１が交互に噛み合うため、両者は一体化される。
ボールＢの高さは使用例３の場合よりもより高いものとなる。
これも高さは高くなっても、空間３は十分有するので、風の影響を受けにくい。
以上述べた使用態様例では、高さ位置は、使用例４＞使用例３＞使用例１＞使用例２となる。
【００４１】
（その他の使用例）
以上述べた使用例は、１個或いは２個の組み合わせで使用する例であるが、これに限らず、３個以上組み合わせて使用することも当然可能である。
図６（Ａ）は、３個のゴルフティーＡ１，Ａ２，Ａ３の組み合わせの例であり、図６（Ｂ）は、４個のゴルフティーＡ１，Ａ２，Ａ３，Ａ４の組み合わせの例である。
組み合わせるゴルフティーＡの数が増えると、ボールＢの高さは順次高くなり、高さ調整の自由度が大きくなる。
【００４２】
以上、本発明の好適な実施形態にゴルフティーＡで説明したが、本発明は上記実施形態に限定されるものではない。
【００４３】
例えば、上記実施形態において、ゴルフティーＡの頂部１１の数は、３個、４個、５個、７個等、個数を異にすることも可能であり、その場合は、３角錐台状、４角錐台状、５角錐台状、７角錐台状となる。
また、ゴルフティーＡの材質に色彩を与えることも可能で、これにより区別が明確になり、しかも意匠性が出る。
【産業上の利用可能性】
【００４４】
本発明によれば、支持安定性に優れ、しかもゴルフボールＢの高さ位置が容易に変更でき、共飛びも極力抑制することができるので、ショートティー、ミドルティー、ロングティーとしてティーグランド、フェアウェー、ラフ等で有効に使用できるものである。
【符号の説明】
【００４５】
１・・・支持基板部
１１・・・頂部
２・・・薄肉部
２１・・・山形
３・・・空間
Ａ・・・ゴルフティー
Ｂ・・・ゴルフボール
Ｇ・・・地表面（グランド）
Ｈ・・・高さ
Ｌ・・・芝（草）
【図１】
2015123152.tif 000003
【図２】
2015123152.tif 000004
【図３】
2015123152.tif 000005
【図４】
2015123152.tif 000006
【図５】
2015123152.tif 000007
【図６】
2015123152.tif 000008
【図７】
2015123152.tif 000009